(57)【特許請求の範囲】
【請求項１】
扉に配設される錠箱機構部の入力軸に相対回転不能に嵌入されて施解錠の回動操作力を入力するサムターン軸と、
該サムターン軸の軸線方向略中央に固着した軸側クラッチ板と、
前記サムターン軸の同軸上に位置し該サムターン軸と相対回転可能となると共に該サムターン軸に対して摺動自在な摘みと、
該摘みに、前記軸側クラッチ板に対面して固着し、前記軸側クラッチ板に圧接可能となった摘み側クラッチ板と、
前記摘みと前記サムターン軸との間に介在し該軸側クラッチ板と該摘み側クラッチ板とを離反方向に付勢して、前記摘みを扉から離れる方向に位置させるクラッチバネと、
を具備し、
前記クラッチバネの付勢力により、通常時においては、前記軸側クラッチ板に対し摘み側クラッチ板が離間状態とされて、該サムターン軸に対して前記摘みを空転状態とし、前記サムターン軸に前記摘みの回転を伝達させず、
前記摘みを、前記クラッチバネの付勢力に抗して軸線方向に前記扉の方向に押し、前記摘み側クラッチ板を前記軸側クラッチ板に圧接することで、前記摘みと前記サムターン軸とが連結されて、前記摘みの回動を前記サムターン軸に伝え、前記錠箱機構部に操作力が伝達されることを特徴とするサムターン。
【請求項２】
錠箱機構部側に基端が固定される内筒の内部に前記サムターン軸を回動自在に支持し、
円筒形状に形成した前記摘みを該内筒に相対回転自在に外嵌し、
前記内筒と前記摘みとの間に、前記クラッチバネを介在させて前記軸側クラッチ板と前記摘み側クラッチ板とを離間させたことを特徴とする請求項１記載のサムターン。
【請求項３】
扉に配設される錠箱機構部の入力軸に相対回転不能に嵌入されて施解錠の回動操作力を入力するサムターン軸と、
該サムターン軸の前記錠箱機構部と反対側の端部に固着した摘みと、
前記錠箱機構部側に基端が固定され、前記サムターン軸を内部に回動かつ直線移動自在に保持する筒状基部と、
前記サムターン軸の中途部に半径方向外側に突設したピンと、
該ピンと前記筒状基部の内部との間に介在し前記サムターン軸を前記摘み側に付勢するバネと、
前記筒状基部の内部から突出し前記ピンに当接して前記サムターン軸の回動を規制するとともに、前記筒状基部内で軸線方向に長く形成されて前記サムターン軸を軸線方向に移動可能とするレール部と、
該レール部の端部を切り欠いて形成し前記摘みを押し込んだ前記ピンの移動位置に一致して前記筒状基部内の周方向に連続形成され、前記ピンを進入させて前記サムターン軸の回動規制を解除する切欠溝と、
を具備し、
通常時においては、前記バネの付勢力により、前記摘みが前記筒状基部に対して突出状態とされて、前記サムターン軸のピンが前記レール部内に位置し、前記サムターン軸の回動を阻止して前記摘みの回転操作を不能とし、
前記摘みを、前記バネの付勢力に抗して軸線方向に前記扉の方向に押し、前記ピンをレール部に沿わせて移動させ前記切欠溝に一致させることで、前記摘みの回動規制が解除となり前記ピンの切欠溝へ進入となって、前記摘みの回動操作力が前記錠箱機構部に伝達されることを特徴とするサムターン。
【請求項４】
扉に配設される錠箱機構部の入力軸に相対回転不能に嵌入されて施解錠の回動操作力を入力するサムターン軸と、
該サムターン軸の軸線方向略中央に固着した軸側クラッチ板と、
前記サムターン軸の前記錠箱機構部と反対側の端部に該サムターン軸と同軸となって相対回転自在に取り付けた摘みと、
前記軸側クラッチ板に対向して前記サムターン軸に遊嵌し該サムターン軸の軸線方向に移動自在となりかつ該摘みに対して相対回転不能な摘み側クラッチ板と、
前記軸側クラッチ板と前記摘み側クラッチ板との間に介在し、該軸側クラッチ板と該摘み側クラッチ板とを離反方向に付勢するクラッチバネと、
前記摘みの外周面から内径方向に後退自在に突出する略ピン形状のボタンと、
該ボタンと前記摘み側クラッチ板との間に介在し前記ボタンに対して斜面が当接し該ボタンの後退移動によって前記摘み側クラッチ板を軸線方向に移動させ前記軸側クラッチ板に圧接する押圧摺動部材と、
を具備し、
前記クラッチバネの付勢力により、通常時においては、前記軸側クラッチ板に対し摘み側クラッチ板が離間状態とされて、該サムターン軸に対して前記摘みを空転状態とし、前記サムターン軸に前記摘みの回転を伝達させず、
前記ボタンを押し込み、前記摘みの内径方向に後退させることで、前記斜面を介して前記押圧摺動部材を軸線方向に移動させ、前記クラッチバネの付勢力に抗して前記摘み側クラッチ板を前記軸側クラッチ板に圧接させて、前記摘みの回動を前記摘み側クラッチ板と前記軸側クラッチ板とを介して前記サムターン軸に伝え、前記錠箱機構部に操作力が伝達されることを特徴とするサムターン。
【請求項５】
扉に配設される錠箱機構部の入力軸に相対回転不能に嵌入されて施解錠の回動操作力を入力するサムターン軸と、
該サムターン軸の前記錠箱機構部と反対側の端部に該サムターン軸と相対回転自在に取り付けた摘みと、
該摘みの内部に位置する前記サムターン軸の端部に同心円状に固着した円環板と、
該円環板の内周から半径方向外側に切り欠いた係合凹部と、
前記摘みの外周面から後退自在に突出し突出状態で基端の係合部を前記円環板の内周部に位置させると共に後退状態で該係合部を前記係合凹部に係合させて前記摘みと前記サムターン軸との相対回転を不能にするボタンと、
該ボタンと前記摘みの内壁との間に配設されて該ボタンを前記摘みの外周面から突出状態とする付勢力を有するバネと、
を具備し、
通常時においては、前記ボタンの係合部が前記円環板の内周部の略中央に位置し、該円環板と非係合状態となって、前記摘みが前記サムターン軸に対して空転状態とされ、前記サムターン軸に前記摘みの回転を伝達させず、
前記ボタンを押し込み、前記バネの付勢力に抗して前記摘みの内径方向に後退させることで、前記係合部が前記円環板の係合凹部に係合し、前記摘みと前記サムターン軸との相対回転を阻止して、前記摘みの回動を前記サムターン軸に伝え、前記錠箱機構部に操作力が伝達されることを特徴とするサムターン。
【請求項６】
前記摘みが、略半球形状又は略円柱形状であることを特徴とする請求項１，２，３，４，５のいずれか１つに記載のサムターン。
【請求項７】
前記摘みが、略立方体形状又は略直方体形状であることを特徴とする請求項１，２，３，４，５のいずれか１つに記載のサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【０００４】
【発明が解決しようとする課題】
近年、マンションや住宅の玄関扉等の開閉体、あるいはこれら玄関扉等の開閉体の近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、手を差し入れてサムターンを不正に操作したり、先端を鉤状に曲げた針金等を挿入して、サムターンが不正に操作されてしまう虞れがある。
【０００５】
一般的に、扉に多用される回転式のサムターンは、屋内側に露出する摘み部の翼板部に針金の鉤状先端を掛止し、回転モーメントを与えることにより不正な解錠操作が可能となる場合がある。
【０００６】
また、サムターンは、上記した小窓の無い開閉体においても、針金を挿入する隙間や孔などが開閉体自体あるいは壁部分等にあれば、同様に不正解錠される虞れがあった。
【０００７】
本発明は上記状況に鑑みてなされたもので、屋外側からの挿入等の不正な解錠行為を防止することのできるサムターンを提供し、施錠装置の不正解錠防止機能の向上を図ることを目的とする。
【０００８】
【課題を解決するための手段】
次に、上記の課題を解決するための手段を、実施の形態に対応する図面を参照して説明する。
この発明の請求項１記載のサムターン１は、扉に配設される錠箱機構部の入力軸に相対回転不能に嵌入されて施解錠の回動操作力を入力するサムターン軸３と、
該サムターン軸３の軸線方向略中央に固着した軸側クラッチ板１３と、
前記サムターン軸３の同軸上に位置し該サムターン軸３と相対回転可能となると共に該サムターン軸３に対して摺動自在な摘み１９と、
該摘み１９に、前記軸側クラッチ板１３に対面して固着し、前記軸側クラッチ板１３に圧接可能となった摘み側クラッチ板２９と、
前記摘み１９と前記サムターン軸３との間に介在し該軸側クラッチ板１３と該摘み側クラッチ板２９とを離反方向に付勢して、前記摘み１９を扉から離れる方向に位置させるクラッチバネ３１と、
を具備し、
前記クラッチバネ３１の付勢力により、通常時においては、前記軸側クラッチ板１３に対し摘み側クラッチ板２９が離間状態とされて、該サムターン軸３に対して前記摘み１９を空転状態とし、前記サムターン軸３に前記摘み１９の回転を伝達させず、
前記摘み１９を、前記クラッチバネ３１の付勢力に抗して軸線方向に前記扉の方向に押し、前記摘み側クラッチ板２９を前記軸側クラッチ板１３に圧接することで、前記摘み１９と前記サムターン軸３とが連結されて、前記摘み１９の回動を前記サムターン軸３に伝え、前記錠箱機構部に操作力が伝達されることを特徴とする。
【０００９】
このサムターン１では、摘み１９の操作力をサムターン軸３へ伝達するのに、摘み１９を軸線方向に押し、摘み側クラッチ板２９を軸側クラッチ板１３に圧接する必要がある。通常時には、摘み側クラッチ板２９と軸側クラッチ板１３とがクラッチバネ３１によって離間しているので、摘み１９は空回りし、摘み１９の操作力は錠箱機構部へ伝わらない。したがって、扉等に設けた小窓を割り外部から手を差し入れたり、或いは扉と扉枠の隙間から針金を差し入れることにより、サムターン１を不正に操作しようとしても、摘み１９が空転するのみで、操作力を錠箱機構部に入力して解錠を行うことができない。
【００１０】
請求項２記載のサムターン４１は、錠箱機構部側に基端が固定される内筒４３の内部に前記サムターン軸３を回動自在に支持し、
円筒形状に形成した前記摘み４９を該内筒４３に相対回転自在に外嵌し、
前記内筒４３と前記摘み４９との間に、前記クラッチバネ５９を介在させて前記軸側クラッチ板４７と前記摘み側クラッチ板５７とを離間させたことを特徴とする。
【００１１】
このサムターン４１では、内筒４３と摘み４９との間にクラッチバネ５９を配設することで、摘み側クラッチ板５７と軸側クラッチ板４７とを全面で圧接して接続することができる。すなわち、摘み４９とサムターン軸３との間にクラッチバネ５９を配設する場合に必要となるクラッチ板内のクラッチバネ収容スペースが不要となり、その分、クラッチ板の接触面積が大きく確保できる。したがって、クラッチ板同士の接続力を高めたり、クラッチ板を小径にしたりできる。
【００１２】
請求項３記載のサムターン６１は、扉に配設される錠箱機構部の入力軸に相対回転不能に嵌入されて施解錠の回動操作力を入力するサムターン軸６３と、
該サムターン軸６３の前記錠箱機構部と反対側の端部に固着した摘み６５と、
前記錠箱機構部側に基端が固定され、前記サムターン軸６３を内部に回動かつ直線移動自在に保持する筒状基部６７と、
前記サムターン軸６３の中途部に半径方向外側に突設したピン７１と、
該ピン７１と前記筒状基部６７の内部との間に介在し前記サムターン軸６３を前記摘み６５側に付勢するバネ７３と、
前記筒状基部６７の内部から突出し前記ピン７１に当接して前記サムターン軸６３の回動を規制するとともに、前記筒状基部６７内で軸線方向に長く形成されて前記サムターン軸６３を軸線方向に移動可能とするレール部７５と、
該レール部７５の端部を切り欠いて形成し前記摘み６５を押し込んだ前記ピン７１の移動位置に一致して前記筒状基部６７内の周方向に連続形成され、前記ピン７１を進入させて前記サムターン軸６３の回動規制を解除する切欠溝７７と、
を具備し、
通常時においては、前記バネ７３の付勢力により、前記摘み６５が前記筒状基部６７に対して突出状態とされて、前記サムターン軸６３のピン７１が前記レール部７５内に位置し、前記サムターン軸６３の回動を阻止して前記摘み６５の回転操作を不能とし、
前記摘み６５を、前記バネ７３の付勢力に抗して軸線方向に前記扉の方向に押し、前記ピン７１をレール部７５に沿わせて移動させ前記切欠溝７７に一致させることで、前記摘み６５の回動規制が解除となり前記ピン７１の切欠溝７７へ進入となって、前記摘み６５の回動操作力が前記錠箱機構部に伝達されることを特徴とする。
【００１３】
このサムターン６１では、サムターン軸６３を回動するのに、摘み６５を押し、サムターン軸６３を軸線方向に移動させて、ピン７１を切欠溝７７に一致させる必要がある。通常時には、バネ７３がサムターン軸６３を摘み６５側に付勢し、サムターン軸６３に突設したピン７１がレール部７５に当接しているので、サムターン軸６３と一体となった摘み６５は回動することができない。つまり、摘み６５を回動して操作力を錠箱機構部に入力することができない。したがって、扉等に設けた小窓を割り外部から手を差し入れたり、或いは扉と扉枠の隙間から針金を差し入れることにより、サムターン６１を不正に操作しようとしても、摘みが回動不能となり、操作力を錠箱機構部に入力して解錠を行うことができない。
【００１４】
請求項４記載のサムターン８１は、扉に配設される錠箱機構部の入力軸に相対回転不能に嵌入されて施解錠の回動操作力を入力するサムターン軸８３と、
該サムターン軸８３の軸線方向略中央に固着した軸側クラッチ板９１と、
前記サムターン軸８３の前記錠箱機構部と反対側の端部に該サムターン軸８３と同軸となって相対回転自在に取り付けた摘み９３と、
前記軸側クラッチ板９１に対向して前記サムターン軸８３に遊嵌し該サムターン軸８３の軸線方向に移動自在となりかつ該摘み９３に対して相対回転不能な摘み側クラッチ板１０１と、
前記軸側クラッチ板９１と前記摘み側クラッチ板１０１との間に介在し、該軸側クラッチ板９１と該摘み側クラッチ板１０１とを離反方向に付勢するクラッチバネ１０３と、
前記摘み９３の外周面から内径方向に後退自在に突出する略ピン形状のボタン１０５と、
該ボタン１０５と前記摘み側クラッチ板１０１との間に介在し前記ボタン１０５に対して斜面１０９が当接し該ボタン１０５の後退移動によって前記摘み側クラッチ板１０１を軸線方向に移動させ前記軸側クラッチ板９１に圧接する押圧摺動部材１０７と、
を具備し、
前記クラッチバネ１０３の付勢力により、通常時においては、前記軸側クラッチ板９１に対し摘み側クラッチ板１０１が離間状態とされて、該サムターン軸８３に対して前記摘み９３を空転状態とし、前記サムターン軸８３に前記摘み９３の回転を伝達させず、
前記ボタン１０５を押し込み、前記摘み９３の内径方向に後退させることで、前記斜面１０９を介して前記押圧摺動部材１０７を軸線方向に移動させ、前記クラッチバネ１０３の付勢力に抗して前記摘み側クラッチ板１０１を前記軸側クラッチ板９１に圧接させて、前記摘み９３の回動を前記摘み側クラッチ板１０１と前記軸側クラッチ板９１とを介して前記サムターン軸８３に伝え、前記錠箱機構部に操作力が伝達されることを特徴とする。
【００１５】
このサムターン８１では、サムターン軸８３を回動するのに、ボタン１０５を押し、押圧摺動部材１０７を介して、摘み側クラッチ板１０１を軸側クラッチ板９１に圧接する必要がある。通常時には、摘み側クラッチ板１０１と軸側クラッチ板９１とがクラッチバネ１０３によって離間しているので、摘み９３は空回りし、摘み９３の操作力は錠箱機構部へ伝わらない。したがって、扉等に設けた小窓を割り外部から手を差し入れたり、或いは扉と扉枠の隙間から針金を差し入れることにより、サムターン８１を不正に操作しようとしても、摘み９３が空転するのみで、操作力を錠箱機構部に入力して解錠を行うことができない。
【００１６】
請求項５記載のサムターン１１１は、扉に配設される錠箱機構部の入力軸に相対回転不能に嵌入されて施解錠の回動操作力を入力するサムターン軸１１３と、
該サムターン軸１１３の前記錠箱機構部と反対側の端部に該サムターン軸１１３と相対回転自在に取り付けた摘み１２１と、
該摘み１２１の内部に位置する前記サムターン軸１１３の端部に同心円状に固着した円環板１２３と、
該円環板１２３の内周から半径方向外側に切り欠いた係合凹部１２５と、
前記摘み１２１の外周面から後退自在に突出し突出状態で基端の係合部１２９を前記円環板１２３の内周部に位置させると共に後退状態で該係合部１２９を前記係合凹部１２５に係合させて前記摘み１２１と前記サムターン軸１１３との相対回転を不能にするボタン１２７と、
該ボタン１２７と前記摘み１２１の内壁との間に配設されて該ボタン１２７を前記摘み１２１の外周面から突出状態とする付勢力を有するバネ１３１と、
を具備し、
通常時においては、前記ボタン１２７の係合部１２９が前記円環板１２３の内周部１３３の略中央に位置し、該円環板１２３と非係合状態となって、前記摘み１２１が前記サムターン軸１１３に対して空転状態とされ、前記サムターン軸１１３に前記摘み１２１の回転を伝達させず、
前記ボタン１２７を押し込み、前記バネ１３１の付勢力に抗して前記摘み１２１の内径方向に後退させることで、前記係合部１２９が前記円環板１２３の係合凹部１２５に係合し、前記摘み１２１と前記サムターン軸１１３との相対回転を阻止して、前記摘み１２１の回動を前記サムターン軸１１３に伝え、前記錠箱機構部に操作力が伝達されることを特徴とする。
【００１７】
このサムターン１１１では、サムターン軸１１３を回動するのに、ボタン１２７を押し、ボタン１２７の係止部１２９を円環板１２３の係合凹部１２５に係合させて、摘み１２１とサムターン軸１１３との相対回転を不能にする必要がある。通常時には、ボタン１２７の係合部１２９が円環板１２３の内周部に位置し、摘み１２１と円環板１２３とが相対回転するので、摘み１２１は空回りし、摘み１２１の操作力は錠箱機構部へ伝わらない。したがって、扉等に設けた小窓を割り外部より手を差し入れたり、或いは扉と扉枠の隙間から針金を差し入れることにより、サムターン１１１を不正に操作しようとしても、摘み１２１が空転するのみで、操作力を錠箱機構部に入力して解錠を行うことができない。
【００１８】
請求項６記載のサムターン１，４１，６１，８１，１１１は、前記摘み１９，４１，６５，９３，１２１が、略半球形状又は略円柱形状であることを特徴とする。
【００１９】
このサムターン１，４１，６１，８１，１１１では、摘み１９，４１，６５，９３，１２１の回転方向に引っ掛かり部がなくなり、先端を鉤状に折り曲げた針金を使用しても、摘み１９，４１，６５，９３，１２１の外周に鉤状部を引っ掛けて、摘み１９，４１，６５，９３，１２１を回転させることができない。
【００２０】
請求項７記載のサムターン１，４１，６１，８１，１１１は、前記摘み１９，４１，６５，９３，１２１が、略立方体形状又は略直方体形状であることを特徴とする。
【００２１】
このサムターン１，４１，６１，８１，１１１では、摘み１９，４１，６５，９３，１２１が、一対の平行な両側面を有することになり、この両側面を手指で摘むことで、摘み１９，４１，６５，９３，１２１が回転し易くなる。また、立方体形状又は直方体形状の隣接する直交二面（稜線部分）、或いは直交三面の角部を除去し、例えば曲面にて形成することで、摘み１９，４１，６５，９３，１２１の回転方向に引っ掛かり部（角部）がなくなり、先端を鉤状に折り曲げた針金を使用しても、摘み１９，４１，６５，９３，１２１の外周に鉤状部を引っ掛けて、摘み１９，４１，６５，９３，１２１を回転させることができない。
【００２２】
【発明の実施の形態】
以下、本発明に係るサムターンの好適な実施の形態を図面を参照して詳細に説明する。
まず、本発明に係るサムターンの第一の実施の形態について説明する。
図１は本発明に係るサムターンの第一の実施の形態を表す断面図、図２は摘み形状の例を（ａ）〜（ｆ）に表す斜視図である。
【００２３】
図示しない扉には錠箱を設けてあり、この錠箱はラッチボルト、デッドボルト、及びこれらを扉の木口から進退させる錠箱機構部を内設している。扉は屋内側の面にサムターン１を備えている。上記した錠箱のデッドボルトは、扉の屋外側の面に設けたシリンダー錠をキーによって、又はこのサムターン１を回動することによって扉木口から進退可能となる。
【００２４】
サムターン１は、錠箱機構部に回動操作力を入力するサムターン軸３を有している。
サムターン軸３は、扉に固定した筒状の化粧リング５内の支持板７を貫通し、フランジ９と、後付けする移動規制部材、例えばＥリング１１等とによって支持板７を挟み、抜脱が規制されて回動自在となっている。
このサムターン軸３の基端は、例えば断面十字形状となって、図示しない錠箱機構部の入力軸に相対回転不能に嵌入される。
【００２５】
サムターン軸３の軸線方向略中央には背面をフランジ９に当接して軸側クラッチ板１３を固着している。
軸側クラッチ板１３は、錠箱機構部と反対側の面が連結面１５となる。この連結面１５は、後述する摘み側クラッチ板２９との相対回転を規制する鋸歯状の係合歯や滑り止め溝を有している。
また、サムターン軸３は、錠箱機構部と反対側の端部である先端に、段部となった小径部１７を形成している。
【００２６】
摘み１９は、軸線方向に穿設した遊嵌穴２１を有している。摘み１９は、遊嵌穴２１をサムターン軸３の先端に遊嵌することで、サムターン軸３と同軸上に位置し、サムターン軸３と相対回転可能となっている。
また、摘み１９は、外周面から半径方向内側に抜脱規制杆２５を挿着することで、抜脱規制杆２５が小径部１７の軸線方向に移動可能な範囲で、サムターン軸３上を摺動自在としている。
【００２７】
ところで、本実施の形態において、摘み１９は、図２（ａ）に示すように、略半球形状となっている。摘み１９は、このような半球形状、又は図２（ｄ）に示す円柱形状とすることで、摘み１９の外周面に回転方向への引っ掛かり部がなくなり、先端を鉤状に折り曲げた針金を使用しても、摘み１９の外周面に鉤状部を引っ掛けて、摘み１９を回転させることができなくなる。
【００２８】
また、摘み１９は、図２（ｂ）（ｃ）に示すように、略立方体形状又は直直方体形状であってもよい。この場合、摘み１９が、一対の平行な両側面を有することになり、この両側面を手指で摘むことで、摘みが回転し易くなる。
そして、この場合においても、略立方体形状又は略直方体形状の隣接する直交二面（稜線部分）、或いは直交三面の角部を除去し曲面にて形成することで、摘み１９の外周面に回転方向への引っ掛かり部分がなくなり、先端を鉤状に折り曲げた針金を使用しても、摘み１９の外周面に鉤状部を引っ掛けて、摘み１９を回転させることができなくなる。
さらに、摘み１９は、図２（ｅ）（ｆ）に示すように、円柱形状の外周面に、ローレット２０や粗面を形成し、滑り止めすることにより、この摘み１９を手指で摘んだ際の回動操作性を高めるものであってもよい。
【００２９】
摘み１９は、上記した軸側クラッチ板１３に対面する面に、摘み側クラッチ板２９を有している。摘み側クラッチ板２９は、摘み１９に固着することで、摘み１９と一体となっている。この摘み側クラッチ板２９は、軸側クラッチ板１３と対向する面に、軸側クラッチ板１３の連結面１５に当接し互いに噛み合うようになる連結面１５を有し、軸側クラッチ板１３との相対回転を規制する鋸歯状の係合歯や滑り止め溝となっている。そして、摘み１９を扉の方向（図１中右側）へ押すことで、軸側クラッチ板１３に圧接可能となっている。
【００３０】
摘み１９と、サムターン軸３との間には、クラッチバネ３１を配設している。クラッチバネ３１は、例えば軸側クラッチ板１３と摘み側クラッチ板２９との中央部近傍にそれぞれ凹設したバネ収容凹部１６に収容している。
クラッチバネ３１は、摘み１９とサムターン軸３との間に介在することで、軸側クラッチ板１３と摘み側クラッチ板２９とを離反方向に付勢している。また、クラッチバネ３１は、摘み１９を扉方向（図１中右側）に押すことで、上記のバネ収容凹部内１６にて収縮して、クラッチ板同士の圧接に支障のないようになっている。
【００３１】
このような構成を有するサムターン１は、通常時、クラッチバネ３１の付勢力によって軸側クラッチ板１３と摘み側クラッチ板２９とが離れている。したがって、摘み１９を回動しても、摘み１９のみが空転し、摘み１９の操作回動力は、サムターン軸３に伝わらない。
【００３２】
一方、錠箱機構部へ操作力を入力するには、摘み１９を押す。すると、クラッチバネ３１の付勢力に抗して摘み側クラッチ板２９が軸側クラッチ板１３に圧接されることとなる。この状態のまま、摘み１９を回動すると、摘み１９の回動が軸側クラッチ板１３を介してサムターン軸３に伝わり、錠箱機構部に操作力が入力可能になる。
【００３３】
したがって、このサムターン１では、摘み１９の操作力をサムターン軸３へ伝達するのに、摘み１９を軸線方向に扉の方向に押し、摘み側クラッチ板２９を軸側クラッチ板１３に圧接する必要がある。通常時には、摘み側クラッチ板２９と軸側クラッチ板１３とがクラッチバネ３１によって離間しているので、摘み１９は空回りし、摘み１９の操作力は錠箱機構部へ伝わらない。したがって、扉等に設けた小窓を割り手を差し入れてサムターン１を不正に操作しようとしても、摘み１９を扉方向に押しながら回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターン１を不正に操作しようとしても、摘み１９は空転するのみで、操作力を錠箱機構部に入力して解錠を行うことができない。
【００３４】
次に、本発明に係るサムターンの第二の実施の形態を説明する。
図３は本発明に係るサムターンの第二の実施の形態を表す断面図である。
この実施の形態によるサムターン４１は、内筒４３の内部に、支持板４５を設け、この支持板４５に、サムターン軸３を回動自在に支持している。
サムターン４１の錠箱機構部と反対側の端部となる先端には、軸側クラッチ板４７を固着している。
【００３５】
内筒４３の先端には、円筒状の摘み４９を相対回転自在かつ軸線方向に移動自在に外挿している。摘み４９は、前面板５１の裏面に、軸線方向の支持杆５３を固着している。この支持杆５３は内筒４３の前壁５５を貫通し支持される。前壁５５を貫通した支持杆５３の先端には、摘み側クラッチ板５７を固着している。つまり、軸側クラッチ板４７と摘み側クラッチ板５７とは、内筒４３内で対向している。
【００３６】
内筒４３の外周にはコイル状のクラッチバネ５９を外挿している。このクラッチバネ５９の一端は内筒４３の基端に設けた座部６０に支持し、他端は摘み４９の基端に当接している。つまり、軸側クラッチ板４７と摘み側クラッチ板５７とは、内筒４３と摘み４９との間に介在したクラッチバネ５９によって離間している。なお、図中、５８は、クラッチバネ５９を覆う化粧リングである。
【００３７】
このような構成を有するサムターン４１は、通常時、図３（ａ）に示すように、クラッチバネ５９の付勢力によって軸側クラッチ板４７と摘み側クラッチ板５７とが離れている。したがって、摘み４９を回動しても、摘み４９のみが空転し、摘み４９の操作回動力は、サムターン軸３に伝わらない。
【００３８】
一方、錠箱機構部へ操作力を入力するには、図３（ｂ）に示すように、摘み４９を扉の方向（図３中右方向）へ押す。すると、クラッチバネ５９の付勢力に抗して摘み側クラッチ板５７が軸側クラッチ板４７に圧接されることとなる。この状態のまま、摘み４９を回動すると、摘み４９の回動が軸側クラッチ板４７を介してサムターン軸３に伝わり、錠箱機構部に操作力が入力可能になる。
【００３９】
このサムターン４１では、通常時には、摘み側クラッチ板５７と軸側クラッチ板４７とがクラッチバネ５９によって離間しているので、摘み４９は空回りし、摘み４９の操作力は錠箱機構部へ伝わらない。したがって、扉等に設けた小窓を割り手を差し入れてサムターン４１を不正に操作しようとしても、摘み４９を扉方向に押しながら回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターン４１を不正に操作しようとしても、摘み４９が空転するのみで、操作力を錠箱機構部に入力して解錠を行うことができない。
【００４０】
また、内筒４３と摘み４９との間にクラッチバネ５９を配設することで、摘み側クラッチ板５７と軸側クラッチ板４７とを全面で圧接して接続することができる。すなわち、摘み４９とサムターン軸３との間にクラッチバネ５９を配設する場合に必要となるクラッチ板内のクラッチバネ収容スペースが不要となり、その分、クラッチ板の接触面積が大きく確保できる。これにより、クラッチ板同士の接続力を高めたり、クラッチ板を小径にしたりできる。
【００４１】
次に、本発明に係るサムターンの第三の実施の形態を説明する。
図４は本発明に係るサムターンの第三の実施の形態を表す断面図である。
この実施の形態によるサムターン６１は、サムターン軸６３の錠箱機構部と反対側の端部である先端に摘み６５を固着している。サムターン軸６３は、基端を、筒状基部６７内の支持板６９に貫通させている。
筒状基部６７は、サムターン軸６３を内部に回動かつ軸方向に直線移動自在に保持している。サムターン軸６３の基端は、例えば断面十字形状となって、図示しない錠箱機構部の入力軸に相対回転不能に嵌入する。
【００４２】
サムターン軸６３は、中途部に、半径方向外側に突設したピン７１を有している。このピン７１と、支持板６９との間にはバネ７３を配設してあり、バネ７３はサムターン軸６３を摘み６５側（図４中左側）に付勢している。
【００４３】
筒状基部６７の内部には、サムターン軸６３の軸線方向に平行とされるレール部７５を突設してあり、レール部７５はピン７１に当接してサムターン軸６３の回動を規制している。また、レール部７５は、筒状基部６７の軸線方向に長く、サムターン軸６３の軸線方向の移動は可能にしている。なお、このレール部７５は、筒状基部６７内に対向し対となって配設されるが、この筒状基部６７内に複数対設けられることとしてもよい。
【００４４】
このレール部７５の支持板６９側の端部には、レール部７５を切り欠いて形成した切欠溝７７を設けている。この切欠溝７７は、筒状基部６７内にて周方向に連続して形成され、摘み６５を押し込んだ時のピン７１の移動位置に一致して、ピン７１を進入させることで、サムターン軸６３の回動規制を解除するように働く。
【００４５】
このような構成を有するサムターン６１は、通常時、図４（ａ）に示すように、バネ７３の付勢力によってサムターン軸６３が筒状基部６７から大きく突出して位置し、かつピン７１がレール部７５に当接している。したがって、摘み６５を回動しようとしても、ピン７１がサムターン軸６３の回動を阻止して、摘み６５を回動操作することができない。
【００４６】
一方、錠箱機構部へ操作力を入力するには、図４（ｂ）に示すように、摘み６５を押す。すると、バネ７３の付勢力に抗してサムターン軸６３が錠箱機構部側へ移動し、サムターン軸６３の端部が錠箱機構部に嵌入する。また、同時にピン７１が切欠溝７７に一致する。この状態のまま、摘み６５を回動すると、ピン７１が切欠溝７７に進入し、摘み６５の回動規制が解除されて、サムターン軸６３が摘み６５の回動操作力を錠箱機構部に入力することになる。
【００４７】
したがって、このサムターン６１では、サムターン軸６３を回動するのに、摘み６５を押し、サムターン軸６３を軸線方向に移動させて、ピン７１を切欠溝７７に一致させる必要がある。通常時には、バネ７３がサムターン軸６３を摘み６５側に付勢し、サムターン軸６３に突設したピン７１がレール部７５に当接しているので、サムターン軸６３と一体となった摘み６５は回動することができない。つまり、摘み６５を回動して操作力を錠箱機構部に入力することができない。したがって、扉等に設けた小窓を割り手を差し入れてサムターン６１を不正に操作しようとしても、摘み６５を扉方向に押しながら回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターン６１を不正に操作しようとしても、摘み６５が回動不能となり、操作力を錠箱機構部に入力して解錠を行うことができない。
【００４８】
次に、本発明に係るサムターンの第四の実施の形態を説明する。
図５は本発明に係るサムターンの第四の実施の形態を表す断面図、図６は摘み形状の例を（ａ）〜（ｄ）に表す斜視図である。
この実施の形態によるサムターン８１は、サムターン軸８３が、扉に固定した筒状の化粧リング８５内の支持板８７を貫通し、フランジ８９と、後付けする移動規制部材、例えばＥリング１１等とによって支持板８７を挟み、抜脱が規制されて回動自在となっている。
【００４９】
サムターン軸８３の軸線方向略中央には背面をフランジ８９に当接して軸側クラッチ板９１を固着している。軸側クラッチ板９１は、錠箱機構部と反対側の面が連結面１５となる。この連結面１５は、後述する摘み側クラッチ板１０１との相対回転を規制する鋸歯状の係合歯や滑り止め溝を有している。
【００５０】
サムターン軸８３は、錠箱機構部と反対側の端部となる先端部に、段部となった小径部９２を形成している。一方、摘み９３は、軸線方向に穿設した遊嵌穴９５を有している。
【００５１】
摘み９３は、遊嵌穴９５をサムターン軸８３の先端に遊嵌することで、サムターン軸８３と同軸上に位置し、サムターン軸８３と相対回転可能となっている。また、摘み９３は、外周から半径方向内側に抜脱規制杆９７を挿着することで、抜脱規制杆９７が小径部９２に係合してサムターン軸８３から抜け落ちないようになっている。
【００５２】
ところで、本実施の形態において、摘み９３は、図６（ｂ）又は（ｃ）に示すように、略立方体形状又は略直方体形状とすることで、一対の平行な両側面を有することになり、この両側面を手指で摘むことで、摘みが回転し易くなっている。そして、略立方体形状又は略直方体形状の隣接する直交二面（稜線部分）、或いは直交三面の角部を除去することで、摘み９３の外周面に回転方向への引っ掛かり部分がなくなり、先端を鉤状に折り曲げた針金を使用しても、摘み９３を回転させることができなくなっている。
【００５３】
また、摘み９３は、図６（ａ）（ｄ）に示すように、半球形状又は円柱形状であってもよい。この場合、摘み９３の外周面には回転方向に引っ掛かり部がなくなり、先端を鉤状に折り曲げた針金を使用しても、摘み９３の外周に鉤状部を引っ掛けて、摘み９３を回転させることができなくなる。
【００５４】
サムターン軸８３には、サムターン軸８３の軸線方向に移動自在となりかつ摘み９３に対して相対回転不能な摘み側クラッチ板１０１を遊嵌している。軸側クラッチ板９１と摘み側クラッチ板１０１との間には、クラッチバネ１０３を介在させてあり、クラッチバネ１０３は軸側クラッチ板９１と摘み側クラッチ板１０１とを離反方向に付勢している。
【００５５】
摘み９３は、外周面から内径方向となって後退自在に突出する略ピン形状のボタン１０５を有している。また、摘み９３は、内部に、軸線方向に移動自在となった押圧摺動部材１０７を有している。
【００５６】
押圧摺動部材１０７は、一端が斜面１０９となり、この斜面１０９をボタン１０５に摺接する。また、押圧摺動部材１０７は、他端を摘み側クラッチ板１０１に当接している。したがって、ボタン１０５を押圧して摘み９３内に後退させると、ボタン１０５が斜面１０９を押し、ボタン１０５の押圧力が軸線方向の力に変換されて、押圧摺動部材１０７が摘み側クラッチ板１０１を押圧するようになっている。すなわち、ボタン１０５を押圧することで、摘み側クラッチ板１０１を軸側クラッチ板９１に圧接できるようになっている。
【００５７】
このような構成を有するサムターン８１は、通常時、クラッチバネ１０３の付勢力によって軸側クラッチ板９１と摘み側クラッチ板１０１とが離れている。したがって、摘み９３を回動しても、摘み９３のみが空転し、摘み９３の操作回動力は、サムターン軸８３に伝わらない。
【００５８】
一方、錠箱機構部へ操作力を入力するには、ボタン１０５を押し込む。すると、押圧摺動部材１０７が軸線方向（図５中右方向）に移動し、クラッチバネ１０３の付勢力に抗して摘み側クラッチ板１０１が軸側クラッチ板９１に圧接されることとなる。この状態のまま、摘み９３を回動すると、摘み９３の回動が摘み側クラッチ板１０１，軸側クラッチ板９１を介してサムターン軸８３に伝わり、錠箱機構部に操作力が入力可能になる。
【００５９】
したがって、このサムターン８１では、通常時には、摘み側クラッチ板１０１と軸側クラッチ板９１とがクラッチバネ１０３によって離間しているので、摘み９３は空回りし、摘み９３の操作力は錠箱機構部へ伝わらない。したがって、扉等に設けた小窓を割り手を差し入れてサムターン８１を不正に操作しようとしても、摘み９３のボタン１０５を押しながら回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターン８１を不正に操作しようとしても、摘み９３が空転するのみで、操作力を錠箱機構部に入力して解錠を行うことができない。
【００６０】
次に、本発明に係るサムターンの第五の実施の形態を説明する。
図７は本発明に係るサムターンの第五の実施の形態を表す断面図である。
この実施の形態によるサムターン１１１は、サムターン軸１１３が、扉に固定した内筒１１５内の支持板１１７を貫通し、フランジ１１９によって支持板１１７からの抜脱を規制して回動自在となっている。
【００６１】
内筒から突出したサムターン軸１１３の端部には、筒状の摘み１２１を、サムターン軸１１３と相対回転自在に取り付けている。サムターン軸１１３は、摘み１２１内の端部に円環板１２３を同心円状に固着している。
【００６２】
円環板１２３は、内周から半径方向外側に切り欠いた係合凹部１２５を有している。円環板１２３は、図８に示すように、内周形状を、この係合凹部１２５を複数形成した例えば略十字形状や略星型とすることができる。
【００６３】
摘み１２１は、外周面から後退自在に突出するボタン１２７を有している。ボタン１２７は、摘み１２１の直径方向に移動自在となり、先端に、係合凹部１２５に係合する係合部１２９を有している。ボタン１２７の基端と摘み１２１の内壁との間にはバネ１３１を配設している。バネ１３１は、ボタン１２７を摘み１２１の外周から突出させる方向に付勢している。
この状態（図７（ａ）の状態）で、ボタン１２７の係合部１２９は、円環板１２３の内周部１３３略中央に位置し、円環板１２３とは非係合状態となる。つまり、摘み１２１は、サムターン軸１１３に対して空転する。
【００６４】
また、ボタン１２７は、押し込むことによって、図７（ｂ）に示すように、係合部１２９を、円環板１２３の係合凹部１２５に係合し、摘み１２１とサムターン軸１１３との相対回転を阻止するようになっている。なお、図中、１３５は、化粧リングを示す。
【００６５】
このような構成を有するサムターン１１１は、通常時、バネ１３１の付勢力によってボタン１２７が摘み１２１から突出し、係合部１２９と係合凹部１２５とが離れている。したがって、摘み１２１を回動しても、摘み１２１のみが空転し、摘み１２１の操作回動力は、サムターン軸１１３に伝わらない。
【００６６】
一方、錠箱機構部へ操作力を入力するには、ボタン１２７を押し込む。すると、ボタン１２７の係合部１２９が円環板１２３の係合凹部１２５に係合し、摘み１２１とサムターン軸１１３とが相対回転しなくなる。つまり、摘み１２１とサムターン軸１１３とが接続状態となる。この状態のまま、摘み１２１を回動すると、摘み１２１の回動がサムターン軸１１３に伝わり、錠箱機構部に操作力が入力可能になる。
【００６７】
したがって、このサムターン１１１では、通常時には、係合部１２９と係合凹部１２５とが離間しているので、摘み１２１は空回りし、摘み１２１の操作力は錠箱機構部へ伝わらない。したがって、扉等に設けた小窓を割り手を差し入れてサムターン１１１を不正に操作しようとしても、摘み１２１のボタン１２７を押しながら回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターン１１１を不正に操作しようとしても、摘み１２１が空転するのみで、操作力を錠箱機構部に入力して解錠を行うことができない。
【００６８】
【発明の効果】
以上詳細に説明したように、本発明に係るサムターンによれば、サムターン軸に軸側クラッチ板を固着し、サムターン軸に相対回転可能となると共に接近離反動可能な摘みに、摘み側クラッチ板を固着したので、摘みの操作力をサムターン軸に伝達するには、摘みを押し、摘み側クラッチ板と軸側クラッチ板とを接続しなければならないため、仮に扉等に設けた小窓を割り手を差し入れてサムターンを不正に操作しようとしても、摘みを押しながら若しくは摘みのボタンを押しながら回転操作をしなくてはならないことから、容易にそのような操作を行うことが不可能となり、操作力を錠箱機構部に入力し解錠を行うことができず、また、扉等に設けられた小窓を割り、或いは扉と扉枠の隙間から針金を差し入れることによりサムターンを不正に操作しようとしても、摘みが空転するのみとなり、操作力を錠箱機構部に入力して解錠を行うことができない。これにより、手を差し入れたり、針金を摘みに引っ掛けることによって、サムターンを回動させる不正解錠を確実に防止することができ、施錠装置の不正解錠防止機能を向上させることができる。
【図面の簡単な説明】
【図１】本発明に係るサムターンの第一の実施の形態を表す断面図、図２は摘み形状の例を（ａ）〜（ｆ）に表す斜視図である。
【図２】摘み形状の例を（ａ）〜（ｆ）に表す斜視図である。
【図３】本発明に係るサムターンの第二の実施の形態を表す断面図である。
【図４】本発明に係るサムターンの第三の実施の形態を表す断面図である。
【図５】本発明に係るサムターンの第四の実施の形態を表す断面図である。
【図６】摘み形状の例を（ａ）〜（ｄ）に表す斜視図である。
【図７】本発明に係るサムターンの第五の実施の形態を表す断面図である。
【図８】同第五の実施の形態のサムターンを構成する円環板の概略斜視図である。
【符号の説明】
１，４１，６１，８１，１１１…サムターン
３，６３，８３，１１３…サムターン軸
１３，４７，９１…軸側クラッチ板
１９，４９，６５，９３，１２１…摘み
２９，５７，１０１…摘み側クラッチ板
３１，５９，１０３…クラッチバネ
６７…筒状基部
７１…ピン
７３…バネ
７５…レール部
７７…切欠溝
１０５，１２７…ボタン
１０７…押圧摺動部材
１２３…円環板
１２５…係合凹部
１２９…係止部
【図１】
0004401605.tif 000002
【図２】
0004401605.tif 000003
【図３】
0004401605.tif 000004
【図４】
0004401605.tif 000005
【図５】
0004401605.tif 000006
【図６】
0004401605.tif 000007
【図７】
0004401605.tif 000008
【図８】
0004401605.tif 000009